(57)【要約】【課題】簡素な構造で男性器を覆う使い捨て尿吸収物品を提供する。【解決手段】使い捨て尿吸収物品１は、略矩形のシート状の本体部２、および、本体部２の一方の側端部２０３から前端部２０１を経由して他方の側端部２０３へと至る弾性部材４０を備える。使い捨て尿吸収物品１では、本体部２に伸張状態にて接合された弾性部材４０が、吸収コア２２の左右両側および前側にて収縮することにより、本体部２の一対の側端部２０３および前端部２０１が吸収コア２２の前方部２２１の周囲において上方に向けて起立し、吸収コア２２の前方部２２１上に着用者の陰茎の先端部を収容するポケットが自然に形成される。このように、使い捨て尿吸収物品１では、簡素な構造で男性器を覆うことができる。【選択図】図１
2011120711.tif 000002
【特許請求の範囲】
【請求項１】
男性用の使い捨て尿吸収物品であって、
略矩形のシート状の本体部と、
前記本体部の左右両側の端部に沿って配置される一対の第１弾性部材と、
前記本体部の前端部に沿って配置される第２弾性部材と、
を備え、
前記本体部が、
透液性のトップシートと、
撥水性または不透液性のバックシートと、
前記一対の第１弾性部材および前記第２弾性部材よりも内側にて、前記トップシートと前記バックシートとの間に配置される吸収コアと、
を備え、
前記吸収コアの前方部の左右方向の幅が、後方部の前記左右方向の幅よりも小さく、
前記一対の第１弾性部材および前記第２弾性部材が収縮することにより、前記吸収コアの前記前方部の周囲において前記本体部が上方に向けて起立することを特徴とする使い捨て尿吸収物品。
【請求項２】
請求項１に記載の使い捨て尿吸収物品であって、
前記本体部の前記前端部における左右両側の一対の角部にて、前記一対の第１弾性部材と前記第２弾性部材とが湾曲しつつ連続することを特徴とする使い捨て尿吸収物品。
【請求項３】
請求項１に記載の使い捨て尿吸収物品であって、
前記本体部の前記前端部における左右両側の一対の角部にて、前記一対の第１弾性部材と前記第２弾性部材とが交差することを特徴とする使い捨て尿吸収物品。
【請求項４】
請求項１ないし３のいずれかに記載の使い捨て尿吸収物品であって、
前記本体部の後端部が前記左右方向に関して伸縮性を有さないことを特徴とする使い捨て尿吸収物品。
【請求項５】
請求項１ないし４のいずれかに記載の使い捨て尿吸収物品であって、
前記吸収コアの後端部の幅が、前記吸収コアの前記後方部の最大幅よりも小さいことを特徴とする使い捨て尿吸収物品。
【請求項６】
請求項１ないし５のいずれかに記載の使い捨て尿吸収物品であって、
前記本体部の左右両側部上において前後方向に伸びるとともに上方に向けて起立する一対の側壁部をさらに備えることを特徴とする使い捨て尿吸収物品。
【発明の詳細な説明】
【技術分野】
【０００１】
本発明は、男性用の使い捨て尿吸収物品に関する。
【背景技術】
【０００２】
従来より、着用者からの排泄物を受ける吸収性物品の１つとして、着用者の男性器に装着するものが用いられている。例えば、特許文献１では、失禁パッドの前方部をトップシート側へと長手方向に折り返し、当該前方部の左右両側の部位を内側に折り曲げて、先に折り返された部位上の粘着部に固定することにより、男性器を収容する袋状部を形成することが提案されている。
【０００３】
特許文献２では、平面視において三角形状の吸収パッドにおいて、２つの辺に沿う２本の弾性部材を収縮させることにより、当該２つの辺の交点近傍の部位を手前側に持ち上げ、着用者の男性器を部分的に覆うことが提案されている。特許文献３では、平面視において矩形の表面シートと防漏シートとの間に矩形の吸収コアを挟み、吸収コアの前方部の左右両側に長手方向に伸びる弾性部材を配置した上で、弾性部材が配置された部位を内側に折り曲げた後に外側に折り返して接合することにより、前方部にカップ状の凹部が形成されたおむつ用パッドが提案されている。
【０００４】
一方、特許文献４は、男性用の吸収性物品ではなく、パンツや使い捨ておむつの内側に取り付けられる比較的大型の男女共用の吸収性物品に関するものであり、長手方向の中央部の幅が前後部の幅よりも小さい（いわゆる、砂時計型の）吸収コアを２枚の矩形のシートにて挟んだ排泄物処理用品において、吸収コアの周囲のフラップに接合された弾性部材を収縮させることにより、吸収コアの周囲全周に亘るフラップを着用者側へと立ち上げて排泄物を収容する凹部を形成する技術が提案されている。
【先行技術文献】
【特許文献】
【０００５】
【特許文献１】実用新案登録第２５６５０７１号公報
【特許文献２】特表平０５−５０１９７７号公報
【特許文献３】特開平０５−２０００５９号公報
【特許文献４】特開２００８−０００４８０号公報
【発明の概要】
【発明が解決しようとする課題】
【０００６】
ところで、特許文献１ないし３の吸収性物品では、男性器を収容または被覆する部位を形成するために、吸収性物品の一部を折り畳んで止着したり、吸収性物品の形状を三角形にした上に吸収性物品の長手方向に対して傾斜する方向に弾性部材を配置する等、吸収性物品の製造が複雑化してしまう。また、特許文献１の吸収性物品では、吸収性物品を装着する際に組み立て作業が必要となり、使用者に負担を強いることとなる。一方、特許文献４の吸収性物品では、吸収コアの周囲全周に亘って弾性部材が設けられているため、吸収性物品の製造が複雑化してしまう。また、仮に、当該吸収性物品の構造を男性用吸収性物品に適用したとすると、弾性部材が男性器の付け根部を圧迫することとなり、吸収性物品の着用感が低下してしまう。
【０００７】
本発明は、上記課題に鑑みなされたものであり、簡素な構造で男性器を覆う使い捨て尿吸収物品を提供することを目的としている。
【課題を解決するための手段】
【０００８】
請求項１に記載の発明は、男性用の使い捨て尿吸収物品であって、略矩形のシート状の本体部と、前記本体部の左右両側の端部に沿って配置される一対の第１弾性部材と、前記本体部の前端部に沿って配置される第２弾性部材とを備え、前記本体部が、透液性のトップシートと、撥水性または不透液性のバックシートと、前記一対の第１弾性部材および前記第２弾性部材よりも内側にて、前記トップシートと前記バックシートとの間に配置される吸収コアとを備え、前記吸収コアの前方部の左右方向の幅が、後方部の前記左右方向の幅よりも小さく、前記一対の第１弾性部材および前記第２弾性部材が収縮することにより、前記吸収コアの前記前方部の周囲において前記本体部が上方に向けて起立する。
【０００９】
請求項２に記載の発明は、請求項１に記載の使い捨て尿吸収物品であって、前記本体部の前記前端部における左右両側の一対の角部にて、前記一対の第１弾性部材と前記第２弾性部材とが湾曲しつつ連続する。
【００１０】
請求項３に記載の発明は、請求項１に記載の使い捨て尿吸収物品であって、前記本体部の前記前端部における左右両側の一対の角部にて、前記一対の第１弾性部材と前記第２弾性部材とが交差する。
【００１１】
請求項４に記載の発明は、請求項１ないし３のいずれかに記載の使い捨て尿吸収物品であって、前記本体部の後端部が前記左右方向に関して伸縮性を有さない。
【００１２】
請求項５に記載の発明は、請求項１ないし４のいずれかに記載の使い捨て尿吸収物品であって、前記吸収コアの後端部の幅が、前記吸収コアの前記後方部の最大幅よりも小さい。
【００１３】
請求項６に記載の発明は、請求項１ないし５のいずれかに記載の使い捨て尿吸収物品であって、前記本体部の左右両側部上において前後方向に伸びるとともに上方に向けて起立する一対の側壁部をさらに備える。
【発明の効果】
【００１４】
本発明では、簡素な構造で男性器を覆う使い捨て尿吸収物品を提供することができる。また、請求項２および３の発明では、使い捨て尿吸収物品の前端部の角部を容易に起立させることができる。請求項４の発明では、吸収性物品の着用感の低下を防止することができる。
【図面の簡単な説明】
【００１５】
【図１】第１の実施の形態に係る使い捨て尿吸収物品の平面図である。
【図２】使い捨て尿吸収物品の断面図である。
【図３】使い捨て尿吸収物品の斜視図である。
【図４】使い捨て尿吸収物品の他の例を示す平面図である。
【図５】第２の実施の形態に係る使い捨て尿吸収物品の平面図である。
【図６】使い捨て尿吸収物品の断面図である。
【図７】使い捨て尿吸収物品の他の例を示す平面図である。
【発明を実施するための形態】
【００１６】
図１は、本発明の第１の実施の形態に係る男性用の使い捨て尿吸収物品１を広げた状態にて示す平面図である。使い捨て尿吸収物品１は、着用者が着用する外装物品である使い捨ておむつ等の内側において、着用者の男性器を覆うように取り付けられて尿を受ける吸収性物品である。図１では、着用者の男性器に接する面（以下、「上面」という。）を手前側にして使い捨て尿吸収物品１を描いている。
【００１７】
図１に示すように、使い捨て尿吸収物品１は、略矩形のシート状の本体部２、および、本体部の一方の側端部２０３から図１中の下側の端部２０１（着用者の陰茎の先端側に対応する部位であり、以下、「前端部２０１」という。）を経由して他方の側端部２０３へと至る弾性部材４０を備える。弾性部材４０は、後述する吸収コア２２の左右両側および前側を囲むように配置された略Ｕ字状の２本の弾性糸４０１を備え、２本の弾性糸４０１は本体部２の各辺に沿っておよそ平行に配置される。
【００１８】
ここで、弾性部材４０のうち、左右両側の側端部２０３に沿って配置される一対の部位をそれぞれ第１弾性部材４１と呼び、本体部２の前端部２０１に沿って配置される部位を第２弾性部材４２と呼ぶと、図１中における上下方向（以下、「前後方向」という。）に伸びる一対の第１弾性部材４１は、前後方向に垂直な左右方向に伸びる第２弾性部材４２と、本体部２の前端部２０１における左右両側の一対の角部２０１１にて連続する。また、各角部２０１１において、第１弾性部材４１と第２弾性部材４２とが連続する部位は、吸収コア２２から離れる方向に突出する凸状に湾曲している。換言すれば、一対の第１弾性部材４１と第２弾性部材４２とは、本体部２の一対の角部２０１１にて湾曲しつつ連続する。使い捨て尿吸収物品１では、本体部２の後端部２０２には弾性部材は設けられない。
【００１９】
図２は、使い捨て尿吸収物品１を図１中に示すＡ−Ａの位置にて前後方向に垂直な面で切断した断面図である。図２に示すように、本体部２は、透液性のトップシート２１、撥水性または不透液性のバックシート２３、および、トップシート２１とバックシート２３との間に配置される吸収コア２２を備え、トップシート２１が着用者の男性器に接する面となる。トップシート２１とバックシート２３とは、吸収コア２２の周囲にて弾性部材４０（すなわち、２本の弾性糸４０１）を間に挟んでホットメルト接着剤等により互いに接合される。図２では、図示の都合上、使い捨て尿吸収物品１の各構成を離して描いている。
【００２０】
本体部２のトップシート２１は、透液性のシート材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンレース不織布、スパンボンド不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布や、多孔性のプラスチックフィルムが利用されてもよい。本実施の形態では、目付が１０ｇ／ｍ２以上３５ｇ／ｍ２以下のエアスルー不織布がトップシート２１として利用される。
【００２１】
吸収コア２２は、セルロースやレーヨン、コットン等の再生親水性繊維、合成繊維、パルプ繊維等により形成された繊維集合層を備え、より好ましくは、当該繊維集合層に混合されて保持される高吸収性材料をさらに備える。高吸収性材料としては、高吸収性ポリマー（ＳＡＰ（Super Absorbent Polymer））や高吸収性ファイバー（ＳＡＦ（Super Absorbent Fiber））等が利用される。本実施の形態では、解繊されたパルプ繊維を１００〜４００ｇ／ｍ２程度積層することにより形成された繊維集合層に、ポリアクリル酸系やセルロース系、でんぷん・アクリロニトリル系等の粒状の吸水性樹脂が高吸収性材料として混合される。吸収コア２２は、好ましくは、１０重量％以上７０重量％以下の高吸収性材料を含む。なお、使い捨て尿吸収物品１では、繊維集合層を有さないタイプの吸収コア（例えば、２枚の親水性不織布の間に高吸収性材料をホットメルト接着剤等により固定したシート状の吸収コア）が利用されてもよい。
【００２２】
バックシート２３としては、撥水性または不透液性の不織布やプラスチックフィルム、あるいは、これらの不織布とプラスチックフィルムとが積層された積層シートが利用され、バックシート２３に到達した排泄物の水分等が、本体部２の外部にしみ出すことが防止される。バックシート２３に利用される不織布としては、例えば、疎水性繊維にて形成されたスパンボンド不織布やメルトブロー不織布、ＳＭＳ（スパンボンド・メルトブロー・スパンボンド）不織布があり、必要に応じて撥水処理が施される。バックシート２３にプラスチックフィルムが利用される場合、使い捨て尿吸収物品１のムレを防止して着用者の快適性を向上するという観点からは、透湿性（通気性）を有するプラスチックフィルムが利用されることが好ましい。本実施の形態では、目付が１０ｇ／ｍ２以上４０ｇ／ｍ２以下の透湿性を有するプラスチックフィルムがバックシート２３として利用される。
【００２３】
弾性部材４０としては、例えば、ポリウレタン糸、帯状のポリウレタンフィルム、糸状または帯状の天然ゴム等が用いられ、本実施の形態では、弾性部材４０の各弾性糸４０１としてポリウレタン糸が利用される。
【００２４】
図１に示すように、吸収コア２２は略Ｕ字型の弾性部材４０の内側（すなわち、一対の第１弾性部材４１および第２弾性部材４２よりも内側）に配置される。換言すれば、吸収コア２２は、左右方向において一対の第１弾性部材４１の間にて一対の第１弾性部材４１から離間するとともに、前後方向において第２弾性部材４２よりも後側（すなわち、本体部２の前端部２０１から離れる側）にて第２弾性部材４２から離間して配置される。図１では、図の理解を容易にするために、吸収コア２２の輪郭を太破線にて描いている。
【００２５】
上述の本体部２の前端部２０１は、本体部２のうち吸収コア２２の前側において左右方向に広がる部位であり、後端部２０２は、吸収コア２２の後側において左右方向に広がる部位であり、一対の側端部２０３は、吸収コア２２の左右両側にて前後方向に伸びる部位である。本体部２の前端部２０１、後端部２０２および一対の側端部２０３はそれぞれ、トップシート２１およびバックシート２３が互いに接合されることにより形成される。
【００２６】
吸収コア２２の図１中の下側の部位である前方部２２１の左右方向の幅（以下、単に「幅」という。）は、およそ一定である。吸収コア２２の図１中の上側の部位である後方部２２２の幅は、後方部２２２の前後方向の中央部２２３ではおよそ一定であり、前方部２２１近傍の部位２２４では前方部２２１に近づくに従って漸次減少する。また、後方部２２２の後端部２２５では、後方部２２２の幅は後側に向かうに従って漸次減少する。換言すれば、吸収コア２２の後端部２２５の幅は、後方部２２２の最大幅である中央部２２３の幅よりも小さい。本実施の形態では、弾性部材４０の両端（すなわち、一対の第１弾性部材４１の後端）は、吸収コア２２の後方部２２２の側方において、中央部２２３と後端部２２５との境界近傍の部位の左右に位置している。
【００２７】
使い捨て尿吸収物品１では、本体部２に伸張状態にて接合された弾性部材４０（すなわち、一対の第１弾性部材４１および第２弾性部材４２）が、吸収コア２２の左右両側および前側にて収縮することにより、図３に示すように、本体部２の一対の側端部２０３および前端部２０１が吸収コア２２の前方部２２１の周囲において上方に向けて起立し、吸収コア２２の前方部２２１上にポケット２４が形成される。使い捨て尿吸収物品１が装着される際には、着用者の陰茎の先端部がポケット２４に収容された状態で、男性器が吸収コア２２およびその周囲にて起立する前端部２０１および側端部２０３により覆われる。
【００２８】
使い捨て尿吸収物品１では、本体部２の形状が、三角形等のような特殊な形状ではなく上述のように簡素な形状（略矩形）とされ、また、使い捨て尿吸収物品の一部を折り畳んで止着するような組み立て作業を行うことなく、弾性部材４０の収縮により陰茎の先端部を収容するポケット２４が自然に形成される。このように、使い捨て尿吸収物品１では、簡素な構造で男性器を覆うことができる。このため、使い捨て尿吸収物品１の製造に要するコストを低減することができるとともに、使用者が使い捨て尿吸収物品１を容易に使用することができる。
【００２９】
使い捨て尿吸収物品１では、図１に示すように、略矩形状の本体部２において吸収コア２２の前方部２２１の幅が後方部２２２の幅よりも小さいため、吸収コア２２の前方部２２１の左右両側において側端部２０３の幅が大きくなり、弾性部材４０の収縮により側端部２０３が高く起立する。これにより、ポケット２４（図３参照）が深くなり、陰茎の先端部がポケット２４に確実に収容される。
【００３０】
使い捨て尿吸収物品１では、弾性部材４０が本体部２の前端部２０１における左右両側の一対の角部２０１１において吸収コア２２から離れる方向に凸状に湾曲する（すなわち、一対の第１弾性部材４１と第２弾性部材４２とが本体部２の一対の角部２０１１にて湾曲しつつ連続する）。これにより、弾性部材４０が角部２０１１のエッジ近傍に配置されるため、本体部２の前端部２０１および一対の側端部２０３が起立する際に、角部２０１１を容易に起立させることができる。
【００３１】
また、使い捨て尿吸収物品１では、吸収コア２２の後端部２２５の幅が吸収コア２２の後方部２２２の最大幅よりも小さいため、吸収コア２２の後端部２２５の左右両側において本体部２の一対の側端部２０３の幅が大きくなる。これにより、使い捨て尿吸収物品１の後端部２０２の左右両側の部位の剛性が低減し、使い捨て尿吸収物品１により男性器を覆う際に、後端部２０２の左右両側の部位を男性器の付け根部の形状に合わせて容易に変形させることができる。
【００３２】
上述のように、使い捨て尿吸収物品１では、本体部２の後端部２０２には弾性部材が設けられないため、後端部２０２は左右方向に関して伸縮性を有さず、後端部２０２にはギャザーは形成されない。このため、着用者の男性器が使い捨て尿吸収物品１に覆われる際に、男性器の付け根部がギャザーにより圧迫されることによる使い捨て尿吸収物品１の着用感の低下が防止される。また、吸収コア２２の周囲の全周に亘って弾性部材が設けられる構造に比べて、使い捨て尿吸収物品１の製造を簡素化することができる。
【００３３】
図４は、本体部２に接合される弾性部材の他の好ましい例を示す図である。図４に示す使い捨て尿吸収物品１ａは、図１に示す弾性部材４０に代えて、本体部２の左右両側の側端部２０３に沿って配置される一対の第１弾性部材４１ａ、および、本体部２の前端部２０１に沿って配置される第２弾性部材４２ａを備える。第１弾性部材４１ａは、前後方向に略平行に直線状に伸びる２本の弾性糸４１１を備え、第２弾性部材４２ａは、左右方向に略平行に直線状に伸びる２本の弾性糸４２１を備える。第２弾性部材４２ａは、一対の第１弾性部材４１ａとは別部材であり、本体部２の前端部２０１における左右両側の一対の角部２０１１にて一対の第１弾性部材４１ａとおよそ垂直に交差する。
【００３４】
使い捨て尿吸収物品１ａでは、一対の第１弾性部材４１ａおよび第２弾性部材４２ａが、吸収コア２２の左右両側および前側にて収縮することにより、図３と同様に、本体部２の一対の側端部２０３および前端部２０１が吸収コア２２の前方部２２１の周囲において上方に向けて起立し、吸収コア２２の前方部２２１上にポケット２４が形成される。そして、着用者の陰茎の先端部がポケット２４に収容された状態で、男性器が吸収コア２２およびその周囲にて起立する前端部２０１および側端部２０３により覆われる。このように、使い捨て尿吸収物品１ａでも、簡素な構造で男性器を覆うことができる。
【００３５】
また、使い捨て尿吸収物品１ａでは、本体部２の前端部２０１における左右両側の一対の角部２０１１において一対の第１弾性部材４１ａと第２弾性部材４２ａとが交差することにより、第１弾性部材４１ａおよび第２弾性部材４２ａが角部２０１１のエッジ近傍に配置されるため、本体部２の前端部２０１および一対の側端部２０３が起立する際に、角部２０１１を容易に起立させることができる。さらに、第１弾性部材４１ａおよび第２弾性部材４２ａがそれぞれ直線状とされるため、図１に示す使い捨て尿吸収物品１に比べて、使い捨て尿吸収物品の製造を簡素化することができる。一方、図１に示す使い捨て尿吸収物品１では、一対の第１弾性部材４１と第２弾性部材４２とが、本体部２の一対の角部２０１１にて湾曲しつつ連続するため、前端部２０１および側端部２０３が起立する際に、角部２０１１と周囲の部位との干渉が抑制され、前端部２０１および側端部２０３が陰茎により密着する。
【００３６】
次に、本発明の第２の実施の形態に係る使い捨て尿吸収物品について説明する。図５は、第２の実施の形態に係る使い捨て尿吸収物品１ｂを広げた状態にて示す平面図であり、図６は、使い捨て尿吸収物品１ｂを図５中に示すＢ−Ｂの位置にて図５中における上下方向（すなわち、前後方向）に垂直な面で切断した断面図である。図５および図６に示すように、使い捨て尿吸収物品１ｂは、本体部２の左右両側部上において前後方向に伸びる一対のサイドシート３を備える点を除き、図１ないし図３に示す使い捨て尿吸収物品１と同様の構成を備える。以下の説明では、使い捨て尿吸収物品１ｂの構成のうち、使い捨て尿吸収物品１の各構成に対応する構成に同符号を付す。なお、図６では、上述の図２とは異なり、後述する側壁部３４の一部や本体部２の側端部２０３が上方に起立した状態（すなわち、上述の図３に対応する状態）を示す。
【００３７】
図５に示すように、サイドシート３は本体部２の前後方向のおよそ全長に亘る帯状のシート部材である。使い捨て尿吸収物品１ｂでは、図６に示すように、トップシート２１の幅がバックシート２３の幅よりも小さく、サイドシート３の左右方向の外側の部位３３が、トップシート２１の左右方向のエッジ近傍の部位、並びに、バックシート２３のトップシート２１から露出する部位にホットメルト接着剤を介して接合される。以下の説明では、一対のサイドシート３のそれぞれの外側の部位３３を「接合部３３」といい、接合部３３の左右方向の内側において接合部３３に連続する部位３４を「側壁部３４」という。サイドシート３とトップシート２１やバックシート２３等との接合は、熱融着接合や超音波接合等により行われてもよい。
【００３８】
図５に示すように、一対の側壁部３４はそれぞれ、本体部２の両側部上において前後方向のおよそ全長に亘って伸びており、好ましくは、前後方向の両端部である側壁端部３４１においてホットメルト接着剤により（あるいは、熱融着接合または超音波接合により）本体部２上に固定される。２つの側壁端部３４１の間の起立部３４２では、前後方向に伸びる弾性部材３２が、起立部３４２の内側の端部近傍（すなわち、自由端近傍）にホットメルト接着剤等により接合されており、弾性部材３２が収縮することにより、図６に示すように、起立部３４２が上方へと起立する。
【００３９】
サイドシート３は、疎水性繊維（例えば、ポリプロピレン、ポリエチレン、ポリエステル、ポリアミド、ナイロン）にて形成された撥水性または不透液性の不織布であるシート本体３１（例えば、スパンボンド不織布やメルトブロー不織布、ＳＭＳ不織布）を、前後方向に伸びる折り曲げ線にて２つ折りにし、折り重ねられた２つの部位の間に弾性部材３２を挟むことにより形成される。シート本体３１の上記折り重ねられた２つの部位は、熱融着接合等により互いに接合されている。
【００４０】
本実施の形態では、目付が１０ｇ／ｍ２以上３０ｇ／ｍ２以下の通気性を有するＳＭＳ不織布がシート本体３１として利用される。シート本体３１には、必要に応じて撥水処理が施されてもよい。また、使い捨て尿吸収物品１ｂでは、プラスチックフィルム、あるいは、上述の撥水性または不透液性の不織布とプラスチックフィルムとの積層体がシート本体３１として利用されてもよい。弾性部材３２としては、例えば、ポリウレタン糸、帯状のポリウレタンフィルム、糸状または帯状の天然ゴム等が用いられ、本実施の形態では、ポリウレタン糸が利用される。
【００４１】
使い捨て尿吸収物品１ｂでは、弾性部材４０の弾性糸４０１が、吸収コア２２の左右両側において一対のサイドシート３の接合部３３とバックシート２３との間に配置され、吸収コア２２の前側においてトップシート２１とバックシート２３との間に配置される。そして、サイドシート３、トップシート２１およびバックシート２３に伸張状態にて接合された弾性部材４０（すなわち、２本の弾性糸４０１）が収縮することにより、図５に示す本体部２の一対の側端部２０３および前端部２０１が吸収コア２２の前方部２２１の周囲において上方に向けて起立し、図６に示すように、本体部２の一対の側端部２０３とサイドシート３の一対の起立部３４２とのそれぞれの間にポケット２４ａが形成される。使い捨て尿吸収物品１ｂが装着される際には、一対の起立部３４２の間の空間２５に陰茎が収容された状態で男性器が本体部２により覆われる。
【００４２】
使い捨て尿吸収物品１ｂでは、弾性部材４０の収縮により一対の側端部２０３および前端部２０１が起立し、本体部２が自然に男性器を覆う形状となるため、第１の実施の形態と同様に、簡素な構造で男性器を覆うことができる。また、サイドシート３の弾性部材３２が前後方向に収縮することにより、本体部２の前端部２０１および一対の側端部２０３が上方に持ち上げられて男性器により密着する。
【００４３】
使い捨て尿吸収物品１ｂでは、一対の起立部３４２により、尿が空間２５から左右方向の外側に漏出することを抑制することができる。さらに、一対の起立部３４２の外側（すなわち、一対の起立部３４２と一対の側端部２０３との間）にポケット２４ａが形成されることにより、尿が空間２５の外側に漏出した場合であっても、漏出した尿をポケット２４ａにて保持することができ、使い捨て尿吸収物品１ｂの外部に尿が漏出することを防止することができる。
【００４４】
以上、本発明の実施の形態について説明してきたが、本発明は上記実施の形態に限定されるものではなく、様々な変更が可能である。
【００４５】
図１に示す使い捨て尿吸収物品１では、弾性部材４０は本体部２の角部２０１１において必ずしも湾曲する必要はなく、例えば、前後方向および左右方向の双方に対して傾斜する方向に略直線状に伸びていてもよい。また、図４に示す使い捨て尿吸収物品１ａでは、一対の第１弾性部材４１ａと第２弾性部材４２ａとは必ずしも角部２０１１にて交差する必要はなく、例えば、図７に示すように、第２弾性部材４２ａの左右方向の長さが、一対の第１弾性部材４１ａの間の左右方向の距離よりも少し短くされ、角部２０１１が第１弾性部材４１ａと第２弾性部材４２ａとの非交差部とされてもよい。
【００４６】
上記実施の形態に係る使い捨て尿吸収物品では、着用感の低下が許容範囲であれば、本体部２の後端部２０２の一部に伸縮性が付与されてもよい。また、吸収コア２２の後方部２２２では、本体部２が男性器に沿って容易に変形可能であれば、後端部２２５の幅は中央部２２３の幅と同等とされてもよい。
【符号の説明】
【００４７】
１，１ａ，１ｂ    使い捨て尿吸収物品
２    本体部
２１    トップシート
２２    吸収コア
２３    バックシート
３４    側壁部
４０    弾性部材
４１，４１ａ    第１弾性部材
４２，４２ａ    第２弾性部材
２０１    前端部
２０２    後端部
２０３    側端部
２２１    前方部
２２２    後方部
２２５    後端部
２０１１    角部
【図１】
2011120711.tif 000003
【図２】
2011120711.tif 000004
【図３】
2011120711.tif 000005
【図４】
2011120711.tif 000006
【図５】
2011120711.tif 000007
【図６】
2011120711.tif 000008
【図７】
2011120711.tif 000009